(57)【特許請求の範囲】
【請求項１】
電力系統から入力される交流電力を直流電力に整流し、整流後の直流電力を負荷へ出力するＡＣ／ＤＣコンバータと、
蓄電池と、
前記電力系統の系統電圧を検出し記録する系統電圧検出手段と、
前記系統電圧検出手段により記録された系統電圧から、系統電圧が予め定められた閾値を次に超える時刻である次の系統電圧閾値超過時刻、および、前記次の系統電圧閾値超過時刻から系統電圧が前記閾値を超えている期間の長さである次の系統電圧閾値超過時間を予測する系統電圧予測手段と、
前記系統電圧予測手段により予測された次の系統電圧閾値超過時刻および次の系統電圧閾値超過時間に基づいて、前記蓄電池から前記負荷への放電および前記電力系統から前記蓄電池への充電を制御する充放電制御手段と、
を備え、
前記充放電制御手段は、
前記次の系統電圧閾値超過時刻から前記次の系統電圧閾値超過時間だけ遡った時刻、又は、当該次の系統電圧閾値超過時間だけ遡った時刻から更に所定時間だけ遡った時刻に、前記蓄電池を前記負荷に接続して前記蓄電池から前記負荷への放電を開始する、蓄電池充放電制御装置。
【請求項２】
電力系統と蓄電池充放電制御装置と負荷とを含んで構成される電力制御システムであって、
前記蓄電池充放電制御装置は、
前記電力系統から入力される交流電力を直流電力に整流し、整流後の直流電力を前記負荷へ出力するＡＣ／ＤＣコンバータと、
蓄電池と、
前記電力系統の系統電圧を検出し記録する系統電圧検出手段と、
前記系統電圧検出手段により記録された系統電圧から、系統電圧が予め定められた閾値を次に超える時刻である次の系統電圧閾値超過時刻、および、前記次の系統電圧閾値超過時刻から系統電圧が前記閾値を超えている期間の長さである次の系統電圧閾値超過時間を予測する系統電圧予測手段と、
前記系統電圧予測手段により予測された次の系統電圧閾値超過時刻および次の系統電圧閾値超過時間に基づいて、前記蓄電池から前記負荷への放電および前記電力系統から前記蓄電池への充電を制御する充放電制御手段と、
を備え、
前記充放電制御手段は、
前記次の系統電圧閾値超過時刻から前記次の系統電圧閾値超過時間だけ遡った時刻、又は、当該次の系統電圧閾値超過時間だけ遡った時刻から更に所定時間だけ遡った時刻に、前記蓄電池を前記負荷に接続して前記蓄電池から前記負荷への放電を開始する、
ことを特徴とする電力制御システム。
【請求項３】
電力系統から入力される交流電力を直流電力に整流し整流後の直流電力を負荷へ出力するＡＣ／ＤＣコンバータと、蓄電池と、を備える蓄電池充放電制御装置、によって実行される蓄電池充放電制御方法であって、
前記電力系統の系統電圧を検出し記録する系統電圧検出ステップと、
前記系統電圧検出ステップにて記録された系統電圧から、系統電圧が予め定められた閾値を次に超える時刻である次の系統電圧閾値超過時刻、および、前記次の系統電圧閾値超過時刻から系統電圧が前記閾値を超えている期間の長さである次の系統電圧閾値超過時間を予測する系統電圧予測ステップと、
前記系統電圧予測ステップにて予測された次の系統電圧閾値超過時刻および次の系統電圧閾値超過時間に基づいて、前記蓄電池から前記負荷への放電および前記電力系統から前記蓄電池への充電を制御する充放電制御ステップと、
を備え、
前記充放電制御ステップでは、
前記次の系統電圧閾値超過時刻から前記次の系統電圧閾値超過時間だけ遡った時刻、又は、当該次の系統電圧閾値超過時間だけ遡った時刻から更に所定時間だけ遡った時刻に、前記蓄電池を前記負荷に接続して前記蓄電池から前記負荷への放電を開始する、蓄電池充放電制御方法。
【発明の詳細な説明】
【技術分野】
【０００１】
本発明は、蓄電池の充放電制御に関する発明であり、より詳しくは、蓄電池充放電制御装置、電力制御システムおよび蓄電池充放電制御方法に関する。
【背景技術】
【０００２】
近年、太陽光発電装置等の分散電源による電力系統への売電が増えつつある中で、分散電源による系統電圧の上昇によって、分散電源から電力系統への逆潮流ができなくなり、分散電源による発電電力が無駄になってしまうという問題がある。系統電圧は、低圧需要家の受電電圧が電気事業法で101±6Vと定められているものの、分散電源による逆潮流が増えると上限値の107Vを逸脱する可能性が出てくる。電圧上昇抑制策としては、系統電圧が上限値（107V）を超えた場合、分散電源による逆潮流の力率を進相力率にして進相無効電力を供給することによって系統電圧の上昇を抑えるが、逆潮流の力率が限界値を超えると、逆潮流ができなくなる。特に太陽光発電の場合は、各分散電源による逆潮流のタイミングが一致する可能性が高い。このため、各需要家が蓄電池を備え、逆潮流のタイミングを分散させることにより系統電圧の上昇抑制策につながり、余剰電力の発生を抑えることができる。
【０００３】
下記の特許文献１には、系統電圧を検出し、系統電圧が上昇している際には、太陽光発電の発電電力を蓄電池に蓄電させる構成が開示されている。このような蓄電池を各分散電源に導入することで、各分散電源から電力系統への逆潮流のタイミングをずらすことができ、電力系統の品質保持や余剰電力の発生抑制を実現することができる。
【先行技術文献】
【特許文献】
【０００４】
【特許文献１】特開２００４−１８０４６７号公報
【発明の概要】
【発明が解決しようとする課題】
【０００５】
しかしながら、分散電源の発電電力を蓄電池に充電するためには、予め蓄電池をある程度放電させておく必要があり、特許文献１の発明には、系統電圧の上昇を予測しながら蓄電池の充放電制御を行う構成までは記載されていない。
【０００６】
また、現状では、太陽光発電装置を備えた一般の家庭に蓄電池を設置することはコスト的に難しい点もあるが、通信設備等では蓄電池を備えているため、この蓄電池を有効に活用し、分散電源の余剰電力を充電させることが有効であると考えられる。ところが、通信設備用の蓄電池は停電用に常備されているため、通常は満充電状態で運用されており、放電する機会はほとんど無い。
【０００７】
本発明は、上記課題を解決するために成されたものであり、蓄電池を適切なタイミングで放電・充電させることによって、系統電圧の電圧上昇を抑制しつつ分散電源の余剰電力を充電可能とすることを目的とする。
【課題を解決するための手段】
【０００８】
本発明に係る蓄電池充放電制御装置は、電力系統から入力される交流電力を直流電力に整流し、整流後の直流電力を負荷へ出力するＡＣ／ＤＣコンバータと、蓄電池と、前記電力系統の系統電圧を検出し記録する系統電圧検出手段と、前記系統電圧検出手段により記録された系統電圧から、系統電圧が予め定められた閾値を次に超える時刻である次の系統電圧閾値超過時刻、および、前記次の系統電圧閾値超過時刻から系統電圧が前記閾値を超えている期間の長さである次の系統電圧閾値超過時間を予測する系統電圧予測手段と、前記系統電圧予測手段により予測された次の系統電圧閾値超過時刻および次の系統電圧閾値超過時間に基づいて、前記蓄電池から前記負荷への放電および前記電力系統から前記蓄電池への充電を制御する充放電制御手段と、を備え、前記充放電制御手段は、前記次の系統電圧閾値超過時刻から前記次の系統電圧閾値超過時間だけ遡った時刻、又は、当該次の系統電圧閾値超過時間だけ遡った時刻から更に所定時間だけ遡った時刻に、前記蓄電池を前記負荷に接続して前記蓄電池から前記負荷への放電を開始する。
【０００９】
上記蓄電池充放電制御装置では、系統電圧検出手段が電力系統の系統電圧を検出して記録しておき、系統電圧予測手段が、系統電圧検出手段により記録された系統電圧から、系統電圧が予め定められた閾値を次に超える時刻である「次の系統電圧閾値超過時刻」、および、当該次の系統電圧閾値超過時刻から系統電圧が前記閾値を超えている期間の長さである「次の系統電圧閾値超過時間」を予測する。そして、充放電制御手段が、予測された「次の系統電圧閾値超過時刻」および「次の系統電圧閾値超過時間」に基づいて、蓄電池から負荷への放電および電力系統から蓄電池への充電を制御する。
【００１１】
また、系統電圧予測手段は、過去に記録された系統電圧閾値超過時刻と系統電圧閾値超過時間と曜日情報等から、次の系統電圧閾値超過時刻および次の系統電圧閾値超過時間を予測してもよい。
【００１２】
上記のような蓄電池充放電制御装置に係る発明は、電力系統と蓄電池充放電制御装置と負荷とを含んで構成される電力制御システムに係る発明、および、蓄電池充放電制御装置によって実行される蓄電池充放電制御方法に係る発明として捉えることができ、以下のように記述することができる。以下の電力制御システムに係る発明や蓄電池充放電制御方法に係る発明も、蓄電池充放電制御装置に係る発明と同様の作用・効果を奏する。
【００１３】
本発明に係る電力制御システムは、電力系統と蓄電池充放電制御装置と負荷とを含んで構成される電力制御システムであって、前記蓄電池充放電制御装置は、前記電力系統から入力される交流電力を直流電力に整流し、整流後の直流電力を前記負荷へ出力するＡＣ／ＤＣコンバータと、蓄電池と、前記電力系統の系統電圧を検出し記録する系統電圧検出手段と、前記系統電圧検出手段により記録された系統電圧から、系統電圧が予め定められた閾値を次に超える時刻である次の系統電圧閾値超過時刻、および、前記次の系統電圧閾値超過時刻から系統電圧が前記閾値を超えている期間の長さである次の系統電圧閾値超過時間を予測する系統電圧予測手段と、前記系統電圧予測手段により予測された次の系統電圧閾値超過時刻および次の系統電圧閾値超過時間に基づいて、前記蓄電池から前記負荷への放電および前記電力系統から前記蓄電池への充電を制御する充放電制御手段と、を備え、前記充放電制御手段は、前記次の系統電圧閾値超過時刻から前記次の系統電圧閾値超過時間だけ遡った時刻、又は、当該次の系統電圧閾値超過時間だけ遡った時刻から更に所定時間だけ遡った時刻に、前記蓄電池を前記負荷に接続して前記蓄電池から前記負荷への放電を開始する。
【００１４】
本発明に係る蓄電池充放電制御方法は、電力系統から入力される交流電力を直流電力に整流し整流後の直流電力を負荷へ出力するＡＣ／ＤＣコンバータと、蓄電池と、を備える蓄電池充放電制御装置、によって実行される蓄電池充放電制御方法であって、前記電力系統の系統電圧を検出し記録する系統電圧検出ステップと、前記系統電圧検出ステップにて記録された系統電圧から、系統電圧が予め定められた閾値を次に超える時刻である次の系統電圧閾値超過時刻、および、前記次の系統電圧閾値超過時刻から系統電圧が前記閾値を超えている期間の長さである次の系統電圧閾値超過時間を予測する系統電圧予測ステップと、前記系統電圧予測ステップにて予測された次の系統電圧閾値超過時刻および次の系統電圧閾値超過時間に基づいて、前記蓄電池から前記負荷への放電および前記電力系統から前記蓄電池への充電を制御する充放電制御ステップと、を備え、前記充放電制御ステップでは、前記次の系統電圧閾値超過時刻から前記次の系統電圧閾値超過時間だけ遡った時刻、又は、当該次の系統電圧閾値超過時間だけ遡った時刻から更に所定時間だけ遡った時刻に、前記蓄電池を前記負荷に接続して前記蓄電池から前記負荷への放電を開始する。
【発明の効果】
【００１５】
本発明によれば、蓄電池を適切なタイミングで放電・充電させることによって、系統電圧の電圧上昇を抑制しつつ分散電源の余剰電力を充電することができる。例えば、分散電源の発電によって電力系統の電圧が上昇し余剰電力が発生した場合に、例えば通信設備内の蓄電池に余剰電力を充電できるようになり、太陽光発電装置等の分散電源が発電できなくなる事態を抑制でき、分散電源の電力を有効に利用できるようになる。
【図面の簡単な説明】
【００１６】
【図１】発明の実施形態に係る電力制御システムの機能ブロック図である。
【図２】系統電圧の時系列変化の一例を示す図である。
【図３】蓄電池充放電制御装置により実行される処理内容を示すフロー図である。
【図４】蓄電池充放電制御装置のハードウェア構成の一例を示す図である。
【発明を実施するための形態】
【００１７】
以下、図面を参照しながら、本発明に係る実施形態を説明する。
【００１８】
図１には、蓄電池充放電制御装置１０を含んだ電力制御システム１の機能ブロック図を示す。この図１に示すように、電力制御システム１は、電力系統３０と蓄電池充放電制御装置１０と直流負荷２０とを含んで構成される。このうち蓄電池充放電制御装置１０は、蓄電池１１、ＡＣ／ＤＣコンバータ（整流器）１２、充放電制御手段１３、系統電圧予測手段１４、および系統電圧検出手段１５を備える。
【００１９】
このうちＡＣ／ＤＣコンバータ１２は、電力系統３０から入力される交流電力を直流電力に整流し、整流後の直流電力を蓄電池１１又は直流負荷２０へ出力する。
【００２０】
系統電圧検出手段１５は、電力系統３０の系統電圧を検出し、検出結果を図示しない内蔵メモリに記録する。即ち、電力系統３０の電圧値の変化は各配電網によって様々であるため、系統電圧検出手段１５は、時系列的な系統電圧の検出結果を内蔵メモリに記録する。
【００２１】
系統電圧予測手段１４は、系統電圧検出手段１５により記録された時系列的な系統電圧の検出結果を読み出し、得られた時系列的な系統電圧の検出結果から、系統電圧が予め定められた閾値を次に超える時刻である「次の系統電圧閾値超過時刻Ｔ」、および、当該次の系統電圧閾値超過時刻から系統電圧が上記の閾値を超えている期間の長さである「次の系統電圧閾値超過時間Ｔ３」を予測する。
【００２２】
充放電制御手段１３は、系統電圧予測手段１４により予測された「次の系統電圧閾値超過時刻Ｔ」および「次の系統電圧閾値超過時間Ｔ３」に基づいて、例えば後述する処理によって、蓄電池１１から直流負荷２０への放電および電力系統３０から蓄電池１１への充電を制御する。制御の詳細については、図３を用いて後述する。
【００２３】
図４には、蓄電池充放電制御装置１０のハードウェア構成の一例を示す。蓄電池充放電制御装置１０は、ハードウェア構成として、ＣＰＵ１０Ａと、ＲＡＭ１０Ｂと、ＲＯＭ１０Ｃと、入力デバイスであるキーボードやマウス等の入力部１０Ｄと、外部装置との通信を行う通信部１０Ｅと、補助記憶部１０Ｆと、出力デバイスであるディスプレイやプリンタ等の出力部１０Ｇとを備える。前述した蓄電池充放電制御装置１０の各機能ブロックの機能は、ＲＡＭ１０Ｂ等に所定のプログラムを読み込ませ、ＣＰＵ１０Ａの制御の下で入力部１０Ｄ、通信部１０Ｅ、出力部１０Ｇを動作させ、補助記憶部１０Ｆ等に対しデータの読み書きを行うことで実現される。
【００２４】
ところで、蓄電池充放電制御装置１０は、例えば、太陽光発電装置などの分散電源の内部に設けられてもよいし、通信設備の内部に設けられてもよい。もし、蓄電池充放電制御装置１０が太陽光発電装置などの分散電源の内部に設けられた構成であれば、上記のＡＣ／ＤＣコンバータ１２を双方向インバータにより構成することで、ＡＣ／ＤＣコンバータ１２に逆流防止ダイオードを介して接続された太陽光発電部（太陽電池）から、電力系統３０への逆潮流が可能な構成とすることが望ましい。
【００２５】
さて、図２には、系統電圧の時系列変化の一例を示す。太陽光発電装置などの分散電源が多い場合、系統電圧が上昇するのは一日のうちで昼間になるため、系統電圧閾値超過時刻Ｔは昼間になり、周期的な特徴を持つことが多い。図２に示すように、系統電圧の閾値は例えば106Vに設定され、系統電圧予測手段１４は、系統電圧検出手段１５により記録された時系列的な系統電圧の検出結果から、系統電圧が閾値（106V）を超えた系統電圧閾値超過時刻と、当該系統電圧閾値超過時刻から系統電圧が閾値（106V）を超えている期間の長さ（系統電圧閾値超過時間）とを求め、得られた結果を図示しない内蔵メモリに記録する。そして、系統電圧予測手段１４は、このような系統電圧の時系列変化の特徴に基づいて、次の系統電圧閾値超過時刻と次の系統電圧閾値超過時間とを予測する。
【００２６】
例えば、系統電圧予測手段１４は、過去数回分の系統電圧閾値超過時刻を平均することで次の系統電圧閾値超過時刻を算出し、過去数回分の系統電圧閾値超過時間を平均することで次の系統電圧閾値超過時間を算出してもよい。
【００２７】
充放電制御手段１３は、系統電圧予測手段１４によって記録された予測結果（次の系統電圧閾値超過時刻Ｔおよび次の系統電圧閾値超過時間Ｔ３）を読み出し、「次の系統電圧閾値超過時刻Ｔ」を開始時刻とし、そこから「次の系統電圧閾値超過時間Ｔ３」に相当する期間だけ蓄電池１１への充電ができるように、事前準備として、蓄電池１１を直流負荷２０に接続することで蓄電池１１からの放電を行う。例えば、充放電制御手段１３は、予測された「次の系統電圧閾値超過時刻Ｔ」から「次の系統電圧閾値超過時間Ｔ３」だけ遡った時刻（Ｔ−Ｔ３）に、蓄電池１１を直流負荷２０に接続して蓄電池１１から直流負荷２０への放電を開始する。また別の例として、充放電制御手段１３は、余裕を持たせるべく、上記の時刻（Ｔ−Ｔ３）より少し早い時刻（即ち、時刻（Ｔ−Ｔ３）より更に所定時間だけ遡った時刻）に、蓄電池１１を直流負荷２０に接続して蓄電池１１から直流負荷２０への放電を開始してもよい。
【００２８】
充放電制御手段１３は、このような事前準備（蓄電池１１から直流負荷２０への放電）の後、系統電圧が系統電圧閾値を超えたとき、電力系統３０からの電力で蓄電池１１を充電するように制御する。
【００２９】
次に、図３を用いて、蓄電池充放電制御装置により実行される処理内容を説明する。図３の処理の前提として、系統電圧検出手段１５は、電力系統３０の系統電圧を検出・記録し、系統電圧予測手段１４は、系統電圧検出手段１５により記録された時系列的な系統電圧の検出結果から、系統電圧が閾値（ここでは図２に示すように106V）を超えた系統電圧閾値超過時刻と、当該系統電圧閾値超過時刻から系統電圧が閾値（106V）を超えている期間の長さ（系統電圧閾値超過時間）とを求め、得られた結果を内蔵メモリに記録しているとする。
【００３０】
まず、各日の所定時刻（例えば午前０時）に、系統電圧予測手段１４は、次の系統電圧閾値超過時刻Ｔと次の系統電圧閾値超過時間Ｔ３とを予測する（図３のステップＳ１）。ここで例えば、系統電圧予測手段１４は、過去数回分の系統電圧閾値超過時刻を平均することで次の系統電圧閾値超過時刻を算出し、過去数回分の系統電圧閾値超過時間を平均することで次の系統電圧閾値超過時間を算出してもよい。即ち、図２に示すように、過去２回分の系統電圧閾値超過時間Ｔ１、Ｔ２を加算平均することで、次の系統電圧閾値超過時間Ｔ３を算出してもよい。
【００３１】
その後、現在時刻が、次の系統電圧閾値超過時刻Ｔから次の系統電圧閾値超過時間Ｔ３だけ遡った時刻（Ｔ−Ｔ３）になるまで待機し（ステップＳ２、Ｓ３）、現在時刻が時刻（Ｔ−Ｔ３）になったら（ステップＳ３で肯定判定）、充放電制御手段１３は、蓄電池１１を直流負荷２０に接続して蓄電池１１から直流負荷２０への放電を開始する（ステップＳ４）。このとき別の例として、充放電制御手段１３は、余裕を持たせるべく、上記の時刻（Ｔ−Ｔ３）より少し早い時刻（即ち、時刻（Ｔ−Ｔ３）より更に所定時間だけ遡った時刻）に、蓄電池１１を直流負荷２０に接続して蓄電池１１から直流負荷２０への放電を開始してもよい。
【００３２】
その後、充放電制御手段１３は、系統電圧検出手段１５により検出される系統電圧が系統電圧閾値（106V）を超えたか否かを監視する（ステップＳ５、Ｓ６）。そして、系統電圧が系統電圧閾値（106V）を超えたら（ステップＳ６で肯定判定）、充放電制御手段１３は、電力系統３０からの電力で蓄電池１１を充電するように制御する（ステップＳ７、Ｓ８）。また、直流負荷２０についても電力系統３０から電力が供給されるように制御する。
【００３３】
そして、蓄電池１１への充電が完了したら（ステップＳ８で肯定判定）、図３の処理を終了する。なお、図３では省略したが、充放電制御手段１３は、蓄電池１１への充電中における系統電圧を監視し、系統電圧が下がりすぎた場合には、充電完了を待たずに充電を終了させた方が望ましい。
【００３４】
以上説明した発明の実施形態によれば、蓄電池を適切なタイミングで放電・充電させることによって、系統電圧の電圧上昇を抑制しつつ分散電源の余剰電力を充電することができる。例えば、分散電源の発電によって電力系統の電圧が上昇し余剰電力が発生した場合に、通信設備の蓄電池に余剰電力を充電できるようになり、太陽光発電装置等の分散電源が発電できなくなる事態を抑制でき、分散電源の電力を有効に利用できるようになる。
【符号の説明】
【００３５】
１…電力制御システム、１０…蓄電池充放電制御装置、１０Ａ…ＣＰＵ、１０Ｂ…ＲＡＭ、１０Ｃ…ＲＯＭ、１０Ｄ…入力部、１０Ｅ…通信部、１０Ｆ…補助記憶部、１０Ｇ…出力部、１１…蓄電池、１２…ＡＣ／ＤＣコンバータ、１３…充放電制御手段、１４…系統電圧予測手段、１５…系統電圧検出手段、２０…直流負荷、３０…電力系統。
【図１】
0005731913.tif 000002
【図２】
0005731913.tif 000003
【図３】
0005731913.tif 000004
【図４】
0005731913.tif 000005